(57)【特許請求の範囲】
【請求項１】
画像データを、少なくとも第１表示モードと第２表示モードとを含む複数の表示モードのうちのいずれか１つの表示モードで表示するように制御するステップと、
上記第１表示モードにあって、上記複数の画像データを所定単位で複数のクラスタに分類し、上記複数のクラスタのうちのあるクラスタにおいて各画像データの少なくとも一部が表示されるとともに、上記あるクラスタの画像データのうちの少なくとも１枚の画像データの傾きが他の画像データの傾きと異なるように、上記あるクラスタの画像データを重ね、上記あるクラスタの画像データの日付情報を上記あるクラスタの画像データとともに表示するステップと、
上記第２表示モードにあって、上記あるクラスタにおいて上記複数の画像データが重ならず一直線上に並ぶように表示するステップと、
上記複数の表示モードの各表示モード間を切替可能にするステップとを備えた
画像表示制御方法。
【請求項２】
上記第１表示モードでの表示中に、上記あるクラスタが選択されると、上記第２表示モードに切り替わるように制御する
請求項１に記載の画像表示制御方法。
【請求項３】
画像データを、少なくとも第１表示モードと第２表示モードとを含む複数の表示モードのうちのいずれか１つの表示モードで表示するように制御する手段と、
上記第１表示モードにあって、上記複数の画像データを所定単位で複数のクラスタに分類し、上記複数のクラスタのうちのあるクラスタにおいて各画像データの少なくとも一部が表示されるとともに、上記あるクラスタの画像データのうちの少なくとも１枚の画像データの傾きが他の画像データの傾きと異なるように、上記あるクラスタの画像データを重ね、上記あるクラスタの画像データの日付情報を上記あるクラスタの画像データとともに表示する手段と、
上記第２表示モードにあって、上記あるクラスタにおいて上記複数の画像データが重ならず一直線上に並ぶように表示する手段と、
上記複数の表示モードの各表示モード間を切替可能にする手段とを備えた
画像表示装置。
【請求項４】
コンピュータが、
画像データを、少なくとも第１表示モードと第２表示モードとを含む複数の表示モードのうちのいずれか１つの表示モードで表示するように制御する機能と、
上記第１表示モードにあって、上記複数の画像データを所定単位で複数のクラスタに分類し、上記複数のクラスタのうちのあるクラスタにおいて各画像データの少なくとも一部が表示されるとともに、上記あるクラスタの画像データのうちの少なくとも１枚の画像データの傾きが他の画像データの傾きと異なるように、上記あるクラスタの画像データを重ね、上記あるクラスタの画像データの日付情報を上記あるクラスタの画像データとともに表示する機能と、
上記第２表示モードにあって、上記あるクラスタにおいて上記複数の画像データが重ならず一直線上に並ぶように表示する機能と、
上記複数の表示モードの各表示モード間を切替可能にする機能とを奏する
プログラム。
【発明の詳細な説明】
【技術分野】
【０００１】
本発明は、例えば、画像を表示する画像表示制御方法等に係り、特に画像を表示する際に所定単位で画像をグルーピングし、更に細分化された所定単位で画像をグルーピングし、各単位での再生を可能とする技術分野に関する。
【背景技術】
【０００２】
従来、画像を表示するための装置には、その表示態様について、ユーザの利便性向上の観点から、様々な機能が実装されている。例えば、特許文献１には、表示エリアの面積を大小に切り換えて表示可能なデジタルカメラが記載されている。
【０００３】
そして、画像表示装置としての、デジタルカメラ等の撮像装置では、実装されるメモリの大容量化が進む中で、多数の撮像画像に係る画像データを該メモリに格納することが可能となってきている。このように大容量化が進む中で、撮影者がメモリの画像データを外部にバックアップすることなく連続してデジタルカメラにより撮影する期間がより一層長期間に亘ってくると、多数の画像の中から日付を指定して所望とする日に撮影した画像を確認したい、月毎に日付単位の代表画像を一覧表示したい等といったように、日付毎に画像を並べて表示し、所望とする画像を瞬時に見出したいとの要求も生じている。
【０００４】
このような要求に鑑みて、今日では、日付単位で画像データをクラスタリングして「イベント」と称されるグループに分割し、該イベント単位で画像を再生・表示する画像表示装置も開発され、市場に浸透しつつある。
【０００５】
【特許文献１】特開２０００−２７８５６３号公報
【発明の開示】
【発明が解決しようとする課題】
【０００６】
しかしながら、日付単位で画像データをクラスタリングして、該単位で画像を並べて表示する場合であっても、以下のような課題が残る。
【０００７】
即ち、例えば旅行時に撮影を行う場合を想定すると、Ａ地点で撮影後、移動してＢ地点で撮影する等といった状況もあり、撮影はある程度の間隔をもった撮影単位で撮影されるものの、表示は日付毎のグループで行なわれる。したがって、従来技術では、撮影単位で画像を確認するためには、撮影時に手動で別フォルダに記録するか、閲覧時に一覧表示画面等で静止画の一覧を見て該一覧から所望とする画像を選択するか、或いは１枚再生画像表示において１枚ずつ確認しながら次送りするか等といった方法しか採り得ないので、撮影単位でグルーピングされた画像を効率的に表示するのは煩雑であった。つまり、画像のグルーピングの単位がユーザのニーズを完全に満たすものではなかった。
【０００８】
このように、近年のカメラ事業領域では、大容量の内蔵メモリを搭載することで大量の画像を保存できるようになってきたが、その大量の画像をより自動的に細分化された単位でグルーピングしたり、表示したりする機能が必要不可欠となってきている。
【０００９】
そこで、本発明は、所定単位で分類された画像データを更に細分化し該細分化された単位で表示可能とすることを課題とする。
【課題を解決するための手段】
【００１０】
本発明の第１の観点に係る画像表示制御方法は、画像データを、少なくとも第１表示モードと第２表示モードとを含む複数の表示モードのうちのいずれか１つの表示モードで表示するように制御するステップと、第１表示モードにあって、複数の画像データを所定単位で複数のクラスタに分類し、複数のクラスタのうちのあるクラスタにおいて各画像データの少なくとも一部が表示されるとともに、あるクラスタの画像データのうちの少なくとも１枚の画像データの傾きが他の画像データの傾きと異なるように、あるクラスタの画像データを重ね、あるクラスタの画像データの日付情報を上記あるクラスタの画像データとともに表示するステップと、第２表示モードにあって、あるクラスタにおいて複数の画像データが重ならず一直線上に並ぶように表示するステップと、複数の表示モードの各表示モード間を切替可能にするステップとを備える。
【００１１】
従って、所定単位で分類された画像データを更に細分化し該細分化された単位で表示可能とする画像表示制御方法を提供することができる。
【００１２】
本発明の第２の観点による画像表示装置は、画像データを、少なくとも第１表示モードと第２表示モードとを含む複数の表示モードのうちのいずれか１つの表示モードで表示するように制御する手段と、第１表示モードにあって、複数の画像データを所定単位で複数のクラスタに分類し、複数のクラスタのうちのあるクラスタにおいて各画像データの少なくとも一部が表示されるとともに、あるクラスタの画像データのうちの少なくとも１枚の画像データの傾きが他の画像データの傾きと異なるように、あるクラスタの画像データを重ね、あるクラスタの画像データの日付情報をあるクラスタの画像データとともに表示する手段と、第２表示モードにあって、あるクラスタにおいて複数の画像データが重ならず一直線上に並ぶように表示する手段と、複数の表示モードの各表示モード間を切替可能にする手段とを備える。
【００１３】
従って、所定単位で分類された画像データを更に細分化し該細分化された単位で表示可能とする画像表示装置を提供することができる。
【００１４】
本発明の第３の観点によるプログラムは、コンピュータが、画像データを、少なくとも第１表示モードと第２表示モードとを含む複数の表示モードのうちのいずれか１つの表示モードで表示するように制御する機能と、第１表示モードにあって、複数の画像データを所定単位で複数のクラスタに分類し、複数のクラスタのうちのあるクラスタにおいて各画像データの少なくとも一部が表示されるとともに、あるクラスタの画像データのうちの少なくとも１枚の画像データの傾きが他の画像データの傾きと異なるように、あるクラスタの画像データを重ね、あるクラスタの画像データの日付情報をあるクラスタの画像データとともに表示する機能と、第２表示モードにあって、あるクラスタにおいて複数の画像データが重ならず一直線上に並ぶように表示する機能と、複数の表示モードの各表示モード間を切替可能にする機能とを奏する。
【００１５】
従って、所定単位で分類された画像データを更に細分化し該細分化された単位で表示可能とするプログラムを提供することができる。
【発明の効果】
【００１６】
本発明によれば、所定単位で分類された画像データを更に細分化し該細分化された単位で表示可能とする画像表示制御方法、画像表示装置及びプログラムを提供することができる。
【発明を実施するための最良の形態】
【００１７】
以下、図面を参照して、本発明を実施するための最良の形態（以下、単に実施の形態という）について詳細に説明する。
【００１８】
図１には本発明の第１の実施の形態に係る画像表示装置の構成を示し説明する。
【００１９】
この図１に示されるように、画像表示装置は、全体の制御を司る制御部１と操作入力部３、記憶部４、表示部５からなる。そして、この制御部１は、記憶部４に格納されている制御プログラム２を読み出し実行することで、イベントクラスタリング機能２ａ、シーン変更検出機能２ｂ、サブイベントクラスタリング機能２ｃ、表示制御機能２ｄを奏する。
【００２０】
尚、制御部１が、記憶部４に格納されている制御プログラム２を実行し、各機能２ａ乃至２ｃを奏するとき、イベントクラスタリング手段、シーン変更検出手段、サブイベントクラスタリング手段、表示制御手段としての役割を果たすことになる。より広義には、イベントクラスタリング手段は例えば第１の分類手段に相当し、シーン変更検出手段及びサブイベントクラスタリング手段は例えば第２の分類手段に相当する。
【００２１】
イベントクラスタリング機能２ａとは、図２に示されるように、「イベント」と称される単位で撮影時刻の近い画像データを自動的にグルーピングする機能である。
【００２２】
この図２の例では、「６月５日（日）」に撮影された画像群を「サッカー観戦にて」とのタイトルでイベントＥ１としてグルーピングし、「６月１１日（土）」に撮影された画像群を「ＢＢＱ行った」とのタイトルでイベントＥ２としてグルーピングし、「６月１５日（水）」に撮影された画像群を「先輩結婚式」とのタイトルでイベントＥ３としてグルーピングする。タイトルは操作入力部３の操作によりユーザにより任意に付される。
【００２３】
シーン変更検出機能２ｂは、例えば、撮影時刻の間隔や被写体距離、被写体輝度の変化等に基づいて撮影シーンの変更を検出し、該撮影シーンの変更を「イベント」を更に細分化した「サブイベント」によるグルーピングの区切りのタイミングとして、後述するサブイベントクラスタリング機能２ｃに通知する機能である。デジタルカメラ等の撮像装置では、撮影時の撮影情報（ＡＦ値、ＡＥ値等）が撮像画像データと共に記録されるが、この画像表示装置が撮像装置に適用される場合、これら値が参照される。以下では、一例として撮影時刻の間隔の変化をシーン変更のトリガとして検出することとする。
【００２４】
サブイベントクラスタリング機能２ｃは、シーン変更検出機能２ｂによる「サブイベント」によるグルーピングの区切りのタイミングに係る通知を受けて、図３の概念図に示されるようにサブイベントによるグルーピングを行い、イベント単位で分割された画像を更にクラスタリングする。即ち、この図３の例では、イベントクラスタリング機能２ａにより撮影時刻が近いものをイベントＥ１にグルーピングした後、更にサブイベントクラスタリング機能２ｃにより撮影時刻の間隔により該イベントＥ１が３つのサブイベントＳＥ１、ＳＥ２、ＳＥ３にクラスタリングされている。
【００２５】
表示制御機能２ｄは、イベントクラスタリング機能２ａによるイベント、サブイベントクラスタリング機能２ｃによるサブイベント単位での表示制御を行う機能である。
【００２６】
即ち、詳細は後述するが、表示制御機能２ｄにより、イベントの一覧表示に係る画面５ａ、表紙画面５ｂ、サブイベント単位の表示画面５ｃ乃至５ｅを表示する。
【００２７】
尚、サブイベント単位で画像を表示するモードを「スクラップブック表示モード」と称する。このスクラップブック表示モードが選択された場合、閲覧画像はサブイベントクラスタリング機能２ｃにより、前述したようにサブイベントに自動分類される。このサブイベントクラスタリングを行われた画像群を、以下では「ページ」と称する。
【００２８】
ここで、図４にはスクラップブック表示モードが選択された場合の画面遷移を示し説明する。制御部１は、制御プログラム２の表示制御機能２ｄにより、イベントクラスタリング機能２ａによりグルーピングされたイベントの一覧表示に係る画面２０を表示する。この画面２０においては、３つのイベントがタイトルと共に表示されている。この３つの中から所望とするイベントがユーザによる操作入力部３の操作により選択されると、「表紙再生モード」に移行し、表示制御機能２ｄは、表紙画面２１を表示する。この表紙画面２１では、イベントの代表画像と撮影日等のデータを表示する。このように表紙を表示した後に操作を行うと「スクラップブック表示モード」に移行する。
【００２９】
この表紙再生モードから、スクラップブック表示モードに移行すると、制御部１は、表示制御２ｄにより、サブイベントクラスタリング機能２ｃによりクラスタリングされたサブイベント単位での画面遷移を行う。即ち、この例では、先に図３の概念図で示したサブイベントＳＥ１〜ＳＥ２のそれぞれについて、画面２２乃至２４で表示する。尚、この画面２２乃至２４からは、表紙画面２１に適宜戻ることが可能となっている。分類された画像が一定数を超える場合は複数ページに配置して表示を行う。
【００３０】
このスクラップブック表示モードにおいて、送り、戻しを行うと順次ページの表示を行い、自動送り（スライドショー）を指定すると、ページの順次表示を行う。
【００３１】
この画面２２乃至２４の中を表示している中、所望とする画面にて操作をすると、「１枚再生モード」に移行し、制御部１は、制御プログラム２の表示制御機能２ｄにより、画面２５に示されるような１枚再生表示を行なう。尚、この画面２５から画面２２には適宜戻ることが可能となっている。以上が、一連の画面遷移となる。
【００３２】
ここで、図５には、スクラップブック表示モードが選択された場合の他の画面遷移を示し説明する。この例では、表紙画面３０から、インデックス（一覧）表示画面３１に移行する。この一覧表示画面３１では、サブイベントＳＥ１乃至ＳＥ３の全画像がインデックス表示される。この一覧表示された画像の中から所望とするものが選択されると、サブイベント表示（画面３２乃至３４）に移行する。画面３２は、サブイベントＳＥ１に係る表示画面であり、画面３３は、サブイベントＳＥ２に係る表示画面であり、画面３４はサブイベントＳＥ３に係る表示画面である。この例でも、画面３２乃至３４からは、表紙画像に係る画面３０に適宜戻ることが可能となっている。分類された画像が一定数を超える場合は複数ページに配置して表示を行う。一覧表示に係る画面３１から、一枚再生に係る画面３５にも移行することが可能となっている。
【００３３】
以下、図６のフローチャートを参照して、本発明の第１の実施の形態に係る画像表示装置による画像表示に係る処理の流れを説明する。
【００３４】
尚、以下の処理は、第１の実施の形態に係る画像表示制御方法にも相当する。
【００３５】
処理を開始すると、制御部１は制御プログラム２のイベントクラスタリング機能２ａにより再生対象の画像の日付を検索する。この検索された日付に基づいて、画像がイベントにグルーピングされる（ステップＳ１）。続いて、制御部１は、制御プログラム２のシーン変更検出機能２ｂに基づいて、画像の撮影時刻が近いか否かを判定する（ステップＳ２）。ここで、撮影時刻が近い場合には（ステップＳ２をＹｅｓに分岐）、サブイベントクラスタリング機能２ｃにより同一のサブイベントにグルーピングされ、表示制御機能２ｄにより同一グループ、つまり同一サブイベントとして表示される（ステップＳ３）。
【００３６】
一方、撮影時刻が近くない場合には（ステップＳ２をＮｏに分岐）、サブイベント機能２ｃにより新規のサブイベントにグルーピングされ、表示制御機能２ｄにより新規グループ、つまり新規のサブイベントとして表示される（ステップＳ４）。
【００３７】
続いて、制御部１は、サブイベントの画像の登録数がページの上限を超えるか否かを判定し（ステップＳ５）、上限を超えていない場合には（ステップＳ５をＮｏに分岐）、同一ページとして表示し（ステップＳ６）、上限を超えている場合には（ステップＳ５をＹｅｓに分岐）、別ページとして表示する（ステップＳ７）。こうして、全ファイルについて検索が終了したか否かを判定し（ステップＳ８）、全ファイルについて検索が終了していない場合には（ステップＳ８をＮｏに分岐）、上記ステップＳ１に戻り、上記処理を繰り返し、その一方、全ファイルについて検索が終了した場合には（ステップＳ８をＹｅｓに分岐）、一連の処理を終了することになる。
【００３８】
次に、本発明の第２の実施の形態について説明する。
【００３９】
図７には本発明の第２の実施の形態に係る撮像装置の構成を示し説明する。
【００４０】
これは、前述した第１の実施の形態に係る画像表示装置をデジタルスチルカメラやデジタルビデオカメラ等の撮像装置に適用したものである。以下、詳述する。
【００４１】
この図７に示されるように、第２の実施の形態に係る撮像装置には、撮影レンズ、絞り、フォーカスレンズ等を概念上含むレンズ部１０１が配設されている。そして、このレンズ部１０１を介して入射する被写体光の光路上には、ＣＣＤ(Charge Coupled Device)等の撮像素子１２１が配置されている。この撮像素子１２１の出力は、アナログ信号処理部１２２、アナログ／ディジタル(A/D; Analog/Digital)変換部１２３を介してディジタル信号処理部１２４の入力に接続されている。そして、このディジタル信号処理部１２４の出力は、液晶パネル１１１、記録部１２５の入力に電気的に接続されている。
【００４２】
レンズ部１０１には、それを構成する絞りの調整やフォーカスレンズの移動を行うためのアクチュエータ１３３が機械的に接続されている。そして、このアクチュエータ１３３は、その駆動制御を行うためのモータドライバ１３２に接続されている。
【００４３】
さらに、この撮像装置には、全体の制御を司るＣＰＵ(Central Processing Unit)１２６が配設されており、該ＣＰＵ１２６は、モータドライバ１３２、タイミングジェネレータ(TG; Timing Generator)１３１、操作部１２７、ＥＥＰＲＯＭ(Electrically Erasable Programmable ROM)１２８、プログラムＲＯＭ(Read Only Memory)１２９、ＲＡＭ(Random Access Memory)１３０、タッチパネル１１２と接続されている。
【００４４】
尚、ＣＰＵ１２６がプログラムＲＯＭ１２９に格納された制御プログラムを読み出し実行することで、制御手段、特にイベントクラスタリング手段、シーン変更検出手段、サブイベントクラスタリング手段、表示制御手段等として機能する。
【００４５】
タッチパネル１１２と液晶パネル１１１とでタッチスクリーン１１０が構成される。
【００４６】
記録部１２５は、例えばフラッシュメモリ等の大容量メモリである。
【００４７】
ＥＥＰＲＯＭ１２８は、設定された各種情報その他の電源がオフにされたときも保持すべきデータ等を記憶する為のものである。プログラムＲＯＭ１２９は、ＣＰＵ１２６が実行するプログラム、該プログラムを実行する上で必要なデータを記憶するものである。そして、ＲＡＭ１３０は、ＣＰＵ１２６が各種処理を実行する際のワークエリアとして必要なプログラムやデータを一時記憶する為のものである。
【００４８】
このような構成において、ＣＰＵ１２６は、プログラムＲＯＭ１２９に記録されているプログラムを実行することにより撮像装置を構成する各部を制御し、タッチパネル１１２からの信号や、操作部１２７からの信号に応じて、所定の処理を実行する。操作部１２７は、ユーザによって操作され、該操作に対応した信号をＣＰＵ２３に供給する。
【００４９】
即ち、タッチパネル１１２の任意の位置に指が触れる等して押下されると、つまりユーザにより所定の操作入力がなされると、該タッチパネル１１２より押下された位置の座標が検出され、当該座標に係る信号がＣＰＵ１２６に送出され、該ＣＰＵ１２６は該座標に対応する所定の情報を取得し、該情報に基づいて所定の処理を実行する。
【００５０】
レンズ部１０１を介して被写体光が入射すると、撮像素子１２１は被写体光を撮像して光電変換し、アナログの画像信号を出力する。このとき、モータドライバ１３２は、ＣＰＵ１２６の制御に基づきアクチュエータ１３３を駆動する。この駆動により、レンズ部１０１は、撮像装置の筐体から露出／収納される。また、レンズ部１０１を構成する絞りの調整や、レンズ部１０１を構成するフォーカスレンズの移動が行われる。
【００５１】
さらに、タイミングジェネレータ１３１は、ＣＰＵ１２６の制御に基づいて、タイミング信号を撮像素子１２１に供給する。このタイミング信号により撮像素子１２１における露出時間等が制御される。撮像素子１２１は、このタイミングジェネレータ１３１から供給されるタイミング信号に基づいて動作することにより、レンズ部１０１を介して入射する被写体からの光を受光して光電変換を行い、受光量に応じた電気信号としてのアナログの画像信号を、アナログ信号処理部１２２に供給する。
【００５２】
アナログ信号処理部１２２は、ＣＰＵ１２６の制御に基づいて、撮像素子１２１から送出されたアナログの画像信号に対してアナログ信号処理（増幅等）を行い、その結果得られる画像信号を、Ａ／Ｄ変換部１２３に供給する。
【００５３】
その後、Ａ／Ｄ変換部１２３は、ＣＰＵ１２６の制御に基づいて、アナログ信号処理部１２２からのアナログの画像信号をＡ／Ｄ変換し、その結果得られるディジタルの画像データをディジタル信号処理部１２４に供給する。ディジタル信号処理部１２４は、ＣＰＵ１２６の制御に基づいてＡ／Ｄ変換部１２３からのディジタルの画像信号に対し、ノイズ除去処理等のディジタル信号処理を施し、液晶パネル１１１に供給して表示させる。
【００５４】
ディジタル信号処理部１２４は、Ａ／Ｄ変換部１２３からのディジタルの画像信号を例えばＪＰＥＧ(Joint Photographic Experts Group)方式等で圧縮し、その結果、得られる圧縮されたディジタルの画像信号を、記録部１２５に供給して記録させる。
【００５５】
更に、ディジタル信号処理部１２４は、記録部１２５に記録された圧縮された画像データを伸張し、その結果得られる画像データを液晶パネル１１１に供給して表示させる。つまり、ディジタル信号処理部１２４は、Ａ／Ｄ変換部１２３からの画像データを、液晶パネル１１１に供給し、液晶パネル１１１では所謂スルー画が表示される。
【００５６】
その後、ユーザが操作部１２７に概念上含まれるシャッタボタンを押下すると、操作部１２７からレリーズ信号がＣＰＵ１２６に供給される。こうして、レリーズ信号がＣＰＵ１２６に供給されると、該ＣＰＵ１２６はディジタル信号処理部１２４を制御し、Ａ／Ｄ変換部１２３からディジタル信号処理部１２４に供給された画像データを圧縮させ、この圧縮された画像データを記録部１２５に記録させる。
【００５７】
ここで、特徴的なのは、以下の作用である。
【００５８】
即ち、ＣＰＵ１２６は、プログラムＲＯＭ１２９に格納されている制御プログラムに基づいて、記録部１２５に格納されている画像データを読み出し、該画像データを撮影日付に基づいてイベントにグルーピングし、さらに撮影時刻に基づいてサブイベントに更に細分化してグルーピングし、このイベント、サブイベント単位で液晶パネル１１１に表示するように制御する。このサブイベント単位での表示の詳細については、前述した第１の実施の形態と同様であるので、ここでは重複した説明は省略する。
【００５９】
以上説明したように、本発明の第１及び第２の実施の形態によれば、イベント表示モード時には、内蔵メモリに記録されている画像に対してイベント毎に撮影した画像を並べて表示することができる。更に、スクラップブック表示モード時には、イベントごとに撮影した画像を更にサブイベントにグルーピングし、サブイベントごとに並べて表示することができる。このサブイベント内の画像は、１ページあるいは複数ページに分類して表示することができる。また、サブイベントのページを送れば、出来上がった複数の画像が表示されたページが表示され、このページに複数の画像が表示されている場合でも、画像を指定すると、その画像の１枚再生を行うことができる。更に、一覧表示から所望とする画像を選択すると該選択した画像が属するサブイベントのページを表示することができる。そして、自動送りを選択すると、サブイベントのページを順次表示することができる。
【００６０】
以上、本発明の一実施の形態について説明したが、本発明はこれに限定されることなくその趣旨を逸脱しない範囲で種々の改良・変更が可能である。
【００６１】
例えば、シーン変更検出機能によるシーン変更の検出は、電源のオン／オフを区切りとして該オン／オフがなされた場合に、そのタイミングをシーン変更のタイミングとして検出し、サブイベントの区切りとしてサブイベントクラスタリングを行うようにしてもよいことは勿論である。或いは、スポーツモード、風景モード等といった各種のモードの切り換わりのタイミングをシーン変更のタイミングとして検出し、同様にサブイベントの区切りのタイミングとしてサブイベントクラスタリングを行うようにしてもよい。
【００６２】
さらに、スクラップブック表示モード下でサブイベント単位での表示を行なう場合、所定の背景画を選択することができるようになっているが、スライドショー等により自動送りで画像をサブイベント単位で表示する場合にバックグラウンドミュージック（ＢＧＭ）を出力するような場合、該ＢＧＭの選択に合わせて好適な背景画を自動的に選択するようにしてもよい。この場合には、ＢＧＭと背景画が所定のＩＤで対応付けられてテーブルにより管理されることになる。また、サブイベントにクラスタリングするタイミングを電源のオン／オフのタイミングとしてもよいことは勿論である。また、手動操作で強制的にサブイベントの区切りのタイミングを設定するようにしてもよい。
【図面の簡単な説明】
【００６３】
【図１】本発明の第１の実施の形態に係る画像表示装置の構成図。
【図２】イベントについて説明するための概念図。
【図３】サブイベントについて説明するための概念図。
【図４】スクラップブック表示モード時にサブイベント単位で画像を表示する場合の画面遷移の一例を示す図。
【図５】スクラップブック表示モード時にサブイベント単位で画像を表示する場合の画面遷移の他の例を示す図。
【図６】本発明の第１の実施の形態に係る画像表示装置による画像表示に係る処理の流れを説明するフローチャート。
【図７】本発明の第２の実施の形態に係る撮像装置の構成図。
【符号の説明】
【００６４】
１…制御部、２…制御プログラム、２ａ…イベントクラスタリング機能、２ｂ…シーン変更検出機能、２ｃ…サブイベントクラスタリング機能、２ｄ…表示制御機能、３…操作入力部、４…記憶部、５…表示部、１０１…レンズ部、１１０…タッチスクリーン、１１１…タッチパネル、１１２…液晶パネル、１２１…撮像素子、１２２…アナログ信号処理部、１２３…Ａ／Ｄ変換部、１２４…ディジタル信号処理部、１２５…記録部、１２６…ＣＰＵ、１２７…操作部、１２８…ＥＥＰＲＯＭ、１２９…プログラムＲＯＭ、１３０…ＲＡＭ、１３１…タイミングジェネレータ、１３２…モータドライバ、１３３…アクチュエータ
【図１】
0005234206.tif 000002
【図２】
0005234206.tif 000003
【図３】
0005234206.tif 000004
【図４】
0005234206.tif 000005
【図５】
0005234206.tif 000006
【図６】
0005234206.tif 000007
【図７】
0005234206.tif 000008